(57)【要約】【課題】空気調整装置の使用者自身の一日の生活における疲労回復や長期的な目線での体調の改善を目指すこと。【解決手段】使用者の肌の状態を測定、診断する肌状態検知装置１０１から出力された測定データ、状態データを受信し、測定データ、状態データに対応した空気調整レシピデータデータを出力するコントロール装置１０２と、コントロール装置１０２から出力された空気調整レシピデータを受信し、空気調整レシピデータの内容に従って空気の調整を行う空気調整装置１０３〜１０６とを備え、使用者が肌状態検知装置１０１を肌に接触させ、コントロール装置１０２へ送信することにより、コントロール装置１０２は使用者の状態データに基づいた空気調整レシピデータを生成し、空気調整装置１０３、１０４へ送信するので、使用者の体調状態などを正確に把握した上で、体調回復を図る空気の調整を行う。【選択図】図１
2005273981.tif 000002
【特許請求の範囲】
【請求項１】
使用者の肌の状態を含む生理的な状態を測定した結果を示す測定データと、気温や湿度などの空気環境を測定した結果を示す空気環境データと、肌の状態を診断した結果を示す状態データを受信し、各空気調整装置の運転内容を示す空気調整レシピデータを送信するインタフェース部と、
前記インタフェース部で受信した前記測定データと前記空気環境データと前記状態データとを蓄積する状態蓄積部と、
前記測定データと前記空気環境データと前記状態データに基づいて、前記状態データに対応する空気調整に関わる少なくとも１つ以上のパラメータで構成される空気調整レシピデータを生成し、前記状態蓄積部に蓄積されている過去の前記状態データを参照し、最新の状態データよりも悪化状態にあったパラメータを検出し、前記悪化したパラメータに対応する前記空気調整レシピデータのパラメータに、予め定められた値分変更をかけ、正式な空気調整レシピデータを決定し、前記インタフェース部へ出力するレシピ決定部とを備えたコントロール装置。
【請求項２】
前記レシピ決定部において、
前記空気調整レシピデータにおける少なくとも１つ以上のパラメータと、少なくとも１つ以上の空気調整装置が保持する機能とを対応づけしたテーブルを保持し、前記テーブルを参照して、前記空気調整レシピデータの各項目に該当する機能を保持する空気調整装置を検索して空気調整に使用する空気調整装置の選定を行い、前記選定した空気調整装置それぞれに対して前記空気調整レシピデータの作成を行うことを特徴とする請求項１に記載のコントロール装置。
【請求項３】
少なくとも１つ以上の空気調整装置それぞれの状態を監視する状態監視部と、
前記選定した空気調整装置に対する前記空気調整レシピデータを作成した後、前記状態監視部において、選定した空気調整装置の現在の運転状況を参照し、前記空気調整レシピデータが、選定した空気調整装置の現在の運転状況と同じ内容の場合は、前記空気調整レシピデータの出力を行わないレシピ決定部とを備えた請求項２に記載のコントロール装置。
【請求項４】
前記レシピ決定部において、
前記状態蓄積部に前記状態データを蓄積する際、すでに蓄積されている過去の前記状態データと比較し、使用者におけるベストな状態であれば、前記状態データにベストコンディションであるという情報を付加し、前記ベストコンディション情報が付加された状態データよりも良好な状態データを蓄積する際に、前記ベストコンディション情報を更新して前記状態データに付加し、生成した前記空気調整レシピデータの履歴を記録しておき、前記空気調整レシピデータを生成した後、生成した前記空気調整レシピデータの履歴の中から、前記ベストコンディション情報が付加された前記状態データの日時付近に生成した前記空気調整レシピデータを検索し、ベストコンディションを導き出した前記空気調整レシピデータの内容に基づき前記空気調整レシピデータに変更をかけ、正式な空気調整レシピデータを決定することを特徴とする請求項１に記載のコントロール装置。
【請求項５】
使用者の肌の状態を含む生理的な状態を測定した結果を示す測定データと、気温や湿度などの空気環境を測定した結果を示す空気環境データと、肌の状態を診断した結果を示す状態データを受信し、各空気調整装置の運転内容を示す空気調整レシピデータを送信するインタフェース部と、
前記インタフェース部で受信した前記測定データ、前記空気環境データ、前記状態データを蓄積する状態蓄積部と、
前記測定データと前記空気環境データと前記状態データに基づいて、前記状態データに対応する空気調整に関わる少なくとも１つ以上のパラメータで構成される空気調整レシピデータを生成し、前記状態蓄積部に蓄積されている過去の前記状態データを参照し、最新の状態データよりも悪化状態にあったパラメータを検出し、前記悪化したパラメータに対応する前記空気調整レシピデータのパラメータに、予め定められた値分変更をかけ、正式な空気調整レシピデータを決定し、空気調整レシピデータとして前記インタフェース部へ出力するレシピ決定部とを備えたコントロール装置と、
肌と接触させて表皮の状態や水分量の肌の状態を測定し、測定データとして出力する肌状態測定部と、
前記肌状態測定部が動作した際の気温や湿度など、空気環境を測定し、空気環境データとして出力する環境測定部と、
前記肌状態測定部から出力された前記測定データと、前記環境測定部から出力された前記空気環境データにより使用者の肌の状態を診断した状態データを、前記測定データと前記空気環境データと共に出力する症状診断部と、
前記測定データと前記空気環境データと前記状態データを蓄積する状態蓄積部と、
前記コントロール装置へ前記測定データと前記空気環境データと前記状態データの送信を行うインタフェース部と、
前記症状診断部から出力された前記測定データと前記空気環境データと前記状態データを、前記状態蓄積部に蓄積し、前記測定データと前記空気環境データと前記状態データを、前記インタフェース部を介して前記コントロール装置へ送信する制御部とを備えた肌状態検知装置と、
前記コントロール装置から空気調整レシピデータを受信し、前記コントロール装置へ、現在の状態に関するデータを送信するインタフェース部と、
前記コントロール装置から前記インタフェース部を介して受信した前記空気調整レシピデータに従って空気の調整を制御する制御部とを備えた空気調整装置と、
を備えたことを特徴とする空気調整システム。
【請求項６】
コンピュータを、
使用者の肌の状態を含む生理的な状態を測定した結果を示す測定データと、気温や湿度などの空気環境を測定した結果を示す空気環境データと、肌の状態を診断した結果を示す状態データを受信し、各空気調整装置の運転内容を示す空気調整レシピデータを送信するインタフェース部と、
前記インタフェース部で受信した前記測定データ、前記空気環境データ、前記状態データを蓄積する状態蓄積部と、
前記測定データと前記空気環境データと前記状態データに基づいて、前記状態データに対応する空気調整に関わる少なくとも１つ以上のパラメータで構成される空気調整レシピデータを生成し、前記状態蓄積部に蓄積されている過去の前記状態データを参照し、最新の状態データよりも悪化状態にあったパラメータを検出し、前記悪化したパラメータに対応する前記空気調整レシピデータのパラメータに、予め定められた値分変更をかけ、正式な空気調整レシピデータを決定し、空気調整レシピデータとして前記インタフェース部へ出力するレシピ決定部として機能させるためのプログラム。
【発明の詳細な説明】
【技術分野】
【０００１】
本発明は、人間の生理的状態、特に肌の状態を実測し、実測した肌状態に基づき空気調整機器の制御を行う技術に関するものである。
【背景技術】
【０００２】
近年、空調機器にも様々な改良が進み、使用者にとって、快適温度を保つだけではなく、湿度、風力、など細かな配慮を施した運転を行う多機能なものが普及した。しかし、これらは、使用者の、汗ばんでいる、ほてっている、乾燥している、などといった生態情報を考慮しての運転には至ってはいなかった。
【０００３】
そこで、従来の空気調整システムとしては、空調環境に応じて変化する空調利用者の生理的状態を空調制御の判断基準に加えることで、適切な空調制御を行うものが提案されている（例えば、特許文献１参照）。図１３は、前記特許文献１に記載された従来の空気調整システムを示すものである。
【０００４】
図１３において、マウス１００１において、使用者の体温、発汗などの生理量と、気温、湿度など作業環境を測定し、コンピュータ１００５において、マウス１００１で測定した生理量や作業環境の測定値と、使用者がコンピュータ１００５に入力した申告温度を、処理部１００６から管理コンピュータ１００８へインタフェース部１００７を介して送信し、管理コンピュータ１００８において、インタフェース部１００９が使用者の生理量と申告温度を受信し、演算部１０１０が、使用者の心理的要求である申告温度を生理量の観点から再評価し、空気調整部１０１１の制御内容を決定して空気調整部１０１１を実際に制御していた。
【特許文献１】特開２００３−４２５０８号公報（第１４頁、図１）
【発明の開示】
【発明が解決しようとする課題】
【０００５】
しかしながら、従来の構成では、使用者の生理量を考慮した空調の制御を実現されてはいるが、使用者が、ある連続した時間にわたって同じ空間内において作業する状況での、使用者の作業環境における快適さ、を追及したものであり、データ採取をある特定の場所で行うため、必ずしも、使用者自身の一日の生活における疲労回復や、長期的な目線での体調の改善を目指したものではなかった。
【０００６】
本発明は、前記従来の課題を解決するもので、空調機器の使用者の生活における体調を、生理量、主に肌から得られるデータで把握し、長期的な目線での体調回復を目指した空調機器の制御を実現する空気調整システムを提供することを目的とする。
【課題を解決するための手段】
【０００７】
従来の課題を解決するために、本発明のコントロール装置は、使用者の肌の状態を含む生理的な状態を測定した結果を示す測定データと、気温や湿度などの空気環境を測定した結果を示す空気環境データと、肌の状態を診断した結果を示す状態データを受信し、各空気調整装置の運転内容を示す空気調整レシピデータを送信するインタフェース部と、インタフェース部で受信した前記測定データ、空気環境データ、状態データを蓄積する状態蓄積部と、測定データと空気環境データと状態データに基づいて、状態データに対応する空気調整に関わる少なくとも１つ以上のパラメータで構成される空気調整レシピデータを生成し、状態蓄積部に蓄積されている過去の状態データを参照し、最新の状態データよりも悪化状態にあったパラメータを検出し、悪化したパラメータに対応する空気調整レシピデータのパラメータに、予め定められた値分変更をかけ、正式な空気調整レシピデータを決定し、インタフェース部へ出力するレシピ決定部とを備えたことを特徴とする。
【０００８】
本構成によって、特定の場所における使用者の生理的な状態を採取し、それに適した空気調整を行うのではなく、場所にとらわれることのない、それまでの使用者の状態を考慮した空気調整内容を生成するので、使用者自身の一日の生活における疲労回復や、長期的な目線での体調の改善を図る快適な空気の調整を行うことができる。
【０００９】
また、本発明のコントロール装置は、レシピ決定部において、空気調整レシピデータにおける少なくとも１つ以上のパラメータと、少なくとも１つ以上の空気調整装置が保持する機能とを対応づけしたテーブルを保持し、前記テーブルを参照して、空気調整レシピデータの各項目に該当する機能を保持する空気調整装置を検索して空気調整に使用する空気調整装置の選定を行い、前記選定した空気調整装置それぞれに対して前記空気調整レシピデータの作成を行うことを特徴とする。
【００１０】
本構成によって、レシピ決定部が空気調整レシピデータを決定する際、宅内に存在する少なくとも１つ以上の空気調整機器の中から、使用者に最適な空気調整を実現させるために必要となる空気調整機器を選定することにより、使用者自身が制御するよりも、はるかに肌の状態に最適で、きめ細かな制御を行うことができ、さらに、効率の良い運転も可能となる。
【００１１】
また、本発明のコントロール装置は、少なくとも１つ以上の空気調整装置それぞれの状態を監視する状態監視部と、前記選定した空気調整装置に対する前記空気調整レシピデータを作成した後、前記状態監視部において、選定した空気調整装置の現在の運転状況を参照し、前記空気調整レシピデータが、選定した空気調整装置の現在の運転状況と同じ内容の場合は、前記空気調整レシピデータの出力を行わないレシピ決定部とを備えたことを特徴とする。
【００１２】
本構成によって、レシピ決定部が空気調整レシピデータを決定する際、宅内に存在する少なくとも１つ以上の空気調整機器の現状を参照し、空気調整レシピデータの内容と同じ内容の運転を既に行っていた場合は、空気調整レシピデータの送信を中止するので、重複した内容の送信を避けることができ、より効率のよい運転を実現できる。
【００１３】
また、本発明のコントロール装置は、前記レシピ決定部において、前記状態蓄積部に前記状態データを蓄積する際、すでに蓄積されている過去の前記状態データと比較し、使用者におけるベストな状態であれば、前記状態データにベストコンディションであるという情報を付加し、前記ベストコンディション情報が付加された状態データよりも良好な状態データを蓄積する際に、前記ベストコンディション情報を更新して前記状態データに付加し、生成した前記空気調整レシピデータの履歴を記録しておき、前記空気調整レシピデータを生成した後、生成した前記空気調整レシピデータの履歴の中から、前記ベストコンディション情報が付加された前記状態データの日時付近に生成した前記空気調整レシピデータを検索し、ベストコンディションを導き出した前記空気調整レシピデータの内容に基づき前記空気調整レシピデータに変更をかけ、正式な空気調整レシピデータを決定することを特徴とする。
【００１４】
本構成によって、使用者の長期的な過去のデータの中でのベストコンディションを記憶して示すことが可能となり、使用者にとっては自己の状態を把握でき、有用な情報を得ることができる。また、使用者のベストコンディション状態を復活させる空気の調整を図るので、より個人に適応した空気の調整を行うことができると同時に、使用者がより早く体調回復することのできる空気の調整を行うことができる。さらに、出力した空気調整レシピデータの記録を参照することができるため、生成したレシピが使用者に合うレシピなのかどうかを分析することが可能となり、より使用者に適応した空気の調整を行うことができる。
【００１５】
また、本発明の空気調整システムは、使用者の肌の状態を含む生理的な状態を測定した結果を示す測定データと、気温や湿度などの空気環境を測定した結果を示す空気環境データと、肌の状態を診断した結果を示す状態データを受信し、各空気調整装置の運転内容を示す空気調整レシピデータを送信するインタフェース部と、前記インタフェース部で受信した前記測定データ、前記空気環境データ、前記状態データを蓄積する状態蓄積部と、前記測定データと前記空気環境データと前記状態データに基づいて、前記状態データに対応する空気調整に関わる少なくとも１つ以上のパラメータで構成される空気調整レシピデータを生成し、前記状態蓄積部に蓄積されている過去の前記状態データを参照し、最新の状態データよりも悪化状態にあったパラメータを検出し、前記悪化したパラメータに対応する前記空気調整レシピデータのパラメータに、予め定められた値分変更をかけ、正式な空気調整レシピデータを決定し、空気調整レシピデータとして前記インタフェース部へ出力するレシピ決定部とを備えたコントロール装置と、肌と接触させて表皮の状態や水分量の肌の状態を測定し、測定データとして出力する肌状態測定部と、前記肌状態測定部が動作した際の気温や湿度など、空気環境を測定し、空気環境データとして出力する環境測定部と、前記肌状態測定部から出力された前記測定データと、前記環境測定部から出力された前記空気環境データにより使用者の肌の状態を診断した状態データを、前記測定データと前記空気環境データと共に出力する症状診断部と、前記測定データと前記空気環境データと前記状態データを蓄積する状態蓄積部と、前記コントロール装置へ前記測定データと前記空気環境データと前記状態データの送信を行うインタフェース部と、前記症状診断部から出力された前記測定データと前記空気環境データと前記状態データを、前記状態蓄積部に蓄積し、前記測定データと前記空気環境データと前記状態データを、前記インタフェース部を介して前記コントロール装置へ送信する制御部とを備えた肌状態検知装置と、前記コントロール装置から空気調整レシピデータを受信し、前記コントロール装置へ、現在の状態に関するデータを送信するインタフェース部と、前記コントロール装置から前記インタフェース部を介して受信した前記空気調整レシピデータに従って空気の調整を制御する制御部とを備えた空気調整装置とを備えたことを特徴とする。
【００１６】
本構成によって、場所にとらわれることのない、現在と過去の使用者の状態を考慮した空気調整内容を生成し、使用者に最適な空気調整を実現させるために必要となる空気調整機器を選定して運転を行うため、使用者自身の一日の生活における疲労回復や、長期的な目線での体調の改善を図る快適な空気の調整を行うことができる。また、使用者自身が制御するよりも、はるかに肌の状態に最適で、きめ細かな制御を行うことができ、さらに、効率の良い運転も可能となる。そして、使用者の長期的な過去のデータの中でのベストコンディションを記憶して示すことが可能となり、使用者にとっては自己の状態を把握でき、有用な情報を得ることができる。また、使用者のベストコンディション状態を復活させる空気の調整を図るので、より個人に適応した空気の調整を行うことができると同時に、使用者がより早く体調回復することのできる空気の調整を行うことができる。さらに、出力した空気調整レシピデータの記録を参照することができるため、生成したレシピが使用者に合うレシピなのかどうかを分析することが可能となり、より使用者に適応した空気の調整を行うことができる。
【発明の効果】
【００１７】
本発明の空気調整システムによれば、場所にとらわれることなく、使用者の生理的な状態を採取して空気調整に反映するシステムを提供することとなり、現在と過去の使用者の状態を考慮した空気調整装置の運転内容を示す空気調整レシピデータを生成し、使用者に最適な空気調整を実現させるために必要となる空気調整機器を選定して運転を行うため、使用者自身の一日の生活における疲労回復や、長期的な目線での体調の改善を図る快適な空気の調整を行うことができる。また、使用者自身が制御するよりも、はるかに肌の状態に最適で、きめ細かな制御を行うことができ、さらに、効率の良い運転も可能となる。そして、使用者の長期的な過去のデータの中でのベストコンディションを記憶して示すことが可能となり、使用者にとっては自己の状態を把握でき、有用な情報を得ることができる。また、使用者のベストコンディション状態を復活させる空気の調整を図るので、より個人に適応した空気の調整を行うことができると同時に、使用者がより早く体調回復することのできる空気の調整を行うことができる。さらに、出力した空気調整レシピデータの記録を参照することができるため、生成したレシピが使用者に合うレシピなのかどうかを分析することが可能となり、より使用者に適応した空気の調整を行うことができる。
【発明を実施するための最良の形態】
【００１８】
以下本発明の実施の形態について、図面を参照しながら説明する。
【００１９】
（実施の形態１）
図１は、本発明の実施の形態１における空気調整システムの、使用状況の一例を模式的に示した平面図である。
【００２０】
図１において、１０１は、空気調整システムの使用者における、肌の状態を検知し、また、その時の空気環境を測定する、肌状態検知装置であり、１０２は、肌状態検知装置１０１から使用者の肌の測定データや状態データと空気環境データを受信し、空気調整のレシピを決定するコントロール装置であり、１０３〜１０６は、コントロール装置１０２から出力されたレシピに従って運転・制御を行う空気調整装置である。
【００２１】
図２は、本発明の実施の形態１における空気調整システムの構成を詳しく示したブロック図である。
【００２２】
図２において、肌状態検知装置１０１は、肌と接触させて表皮の状態や水分量の肌の状態を測定する肌状態測定部２０１、肌の症状を診断する症状診断部２０２、データの流れを制御する制御部２０３、データを蓄積する状態蓄積部２０４、気温や湿度など、空気環境を測定する環境測定部２０５、データの送信を行うインタフェース部２０６で構成され、コントロール装置１０２は、空気調整装置の運転内容を示す空気調整レシピデータを生成するレシピ決定部２０７、データの送受信を行うインタフェース部２０８、データを蓄積する状態蓄積部２０９、空気調整装置の運転状況を監視する状態監視部２１０で構成される。空気調整装置１０３は、データの送受信を行うインタフェース部２１１、空気の調整を行う制御部２１２、制御部２１２の命令に従って動作する出力部２１３で構成され、空気調整装置１０４は、空気調整装置１０３と同様に、データの送受信を行うインタフェース部２１４、空気の調整を行う制御部２１５、制御部２１５の命令に従って動作する出力部２１６で構成される。
【００２３】
使用者は、外出先において、肌状態検知装置１０１を肌に接触させる（その動作の回数や頻度は、使用者により様々であってかまわない）と、肌状態検知装置１０１において、肌状態測定部２０１は、使用者の肌状態を測定し、測定データにその時の日時を付加して、症状診断部２０２へ出力する。一方、環境測定部２０５では、肌状態測定部２０１で使用者の肌の状態が測定された際の気温、湿度など空気環境を測定し、症状診断部２０２へ出力する。症状診断部２０２は、測定データと空気環境データが入力されると、それらのデータから、使用者のその時の肌状態を診断し、状態データとして、基データである測定データ、空気環境データと共に制御部２０３へ出力する。制御部２０３は、症状診断部２０２から状態データ、測定データ、空気環境データが入力されると、それらを、状態蓄積部２０４へ蓄積する。使用者が、自宅にて、肌状態検知装置１０１から、蓄積されているデータをコントロール装置１０２へ送信する際については、制御部２０３は、状態蓄積部２０４に蓄積されている、状態データ、測定データ、空気環境データを、インタフェース部２０６を介してコントロール装置１０２へ送信する。
【００２４】
コントロール装置１０２は、肌状態検知装置１０１から状態データ、測定データ、空気環境データをインタフェース部２０８を介して受信すると、レシピ決定部２０７は、状態蓄積部２０９にそれまでに蓄積されていたデータとの比較を参考にし、状態監視部２１０における空気調整装置１０３、１０４の現在の状態を把握した上で、使用者の状態データに合致した、空気調整装置１０３、１０４の運転内容を生成し、空気調整装置１０３、１０４それぞれの運転内容を示す空気調整レシピデータとして、空気調整装置１０３、１０４へ、インタフェース部２０８を介して送信する。そして、状態蓄積部２０９へ、受信した状態データ、測定データ、空気環境データを格納する。
【００２５】
空気調整装置１０３、１０４は、コントロール装置１０２から空気調整レシピデータをインタフェース部２１１、２１４を介して受信すると、空気調整装置１０３では、制御部２１２が、空気調整装置１０４では、制御部２１５が、空気調整レシピデータどおりに、出力部２１３、２１６を制御する。空気調整装置１０５、１０６においても、空気調整部１０３、１０４と同様の動作を行うことは言うまでもない。
【００２６】
図３（ａ）は、肌状態測定部２０１で採取された測定データと、環境測定部２０５で採取された空気環境データを示す図で、図３（ｂ）は、症状診断部２０２で診断された状態データを示す図である。
【００２７】
肌状態検知装置１０１において、症状診断部２０２は、肌状態測定部２０１と環境測定部２０５から図３（ａ）に示す測定データと空気環境データが入力されると、[表皮]、[水分]、[血流]、[線維組織]、[皮脂]データと、その時の空気環境である、[気温]、[湿度]のデータから、一般的な肌についての理論に基づいて、使用者のその時の肌状態を診断する。一般的な肌についての理論とは、表皮が荒れていることから、皮膚刺激に高感受である、あるいは乾燥に弱い、ということや、線維組織が乱れていることから、紫外線に高感受である、というような、肌に関する専門知識を指す。ここでは、図３（ａ）に示す測定データから、一般的な理論に基づいて診断した結果として、図３（ｂ）に示すような、体調や季節に依存するかどうかの評価項目である、[体調・季節依存型]は、レベル３、紫外線に対して感受性が強いかどうかの評価項目である、[紫外線高感受型]は、レベル３、敏感肌のように、皮膚刺激に対して感受性が強いかどうかの評価項目である、[皮膚刺激高感受型]は、レベル４、乾燥しているかどうかの評価項目である、[乾性型]は、レベル３、アレルギー症状を起こしているかどうかの評価項目である、[アレルギー型]は、レベル１、風やゴミなどの物理刺激に対して感受性が強いかどうかの評価項目である、[物理刺激高感受型]は、レベル３という結果が得られている。
【００２８】
以下に、風が強く、とても寒い日に、外回りの仕事をしている使用者が、顔のあたりに不快感を覚え、仕事の合間に２回ほど、肌状態検知装置１０１で肌状態を測定し、帰宅後に、エアコンなどの空気調整装置を作動させた際に、再び肌状態検知装置１０１で肌状態を測定し、コントロール装置１０２へデータを送信した場合の、レシピ決定部２０７が空気調整レシピデータを決定するまでの流れを、図面を用いて詳しく説明する。
【００２９】
図３（ａ）、図３（ｂ）は、使用者の帰宅後における、測定データと空気環境データ、そして状態データを示す図とする。
【００３０】
また、図４（ａ）、図４（ｂ）と図５（ａ）、図５（ｂ）は、肌状態検知装置１０１からコントロール装置１０２へ送信される、使用者が屋外で測定した、測定データと空気環境データ、そして状態データを示す図で、図４は、同日の１２時０３分時点のもの、図５は、同日の１６時４５分時点のものとする。
【００３１】
コントロール装置１０２における、レシピ決定部２０７は、肌状態検知装置１０１からインタフェース部２０８を介して、屋外にて採取した、図４（ｂ）、図５（ｂ）の状態データ、図４（ａ）、図５（ａ）の測定データと空気環境データおよび、帰宅後に採取した、図３（ｂ）の状態データ、図３（ａ）の測定データと空気環境データを受信すると、まず、屋外でのデータ図４（ａ）、図４（ｂ）と図５（ａ）、図５（ｂ）を状態蓄積部２０９に蓄積し、図３（ｂ）の状態データのみから、空気調整装置１０３、１０４の運転内容である空気調整レシピデータを生成する。
【００３２】
レシピ決定部２０７は、症状診断部２０２によって診断された状態データ図３（ｂ）における、６つの評価項目に対応づけした、６つの空気調整レシピデータ項目をあらかじめ保持している。
【００３３】
図６は、図３（ｂ）の状態データに対応した、レシピ決定部２０７が生成する空気調整レシピデータを示す図である。
【００３４】
図６において、まず、図３（ｂ）の状態データの評価項目である、[体調・季節依存型]に対しては、酸素を十分体内に取り入れ、体内の不純物を十分に排出して体調回復を図る、という意味で[酸素]という項目となり、[紫外線高感受型]に対しては、紫外線を浴びたことで真皮に大量発生する活性酸素の減少を図る、という意味で[抗酸化成分]という項目となり、[皮膚刺激高感受型]に対しては、マイナスイオンを体内に摂取し、皮膚刺激に敏感な老化肌の改善を図る、という意味で[マイナスイオン]という項目となり、[乾性型]に対しては、湿度を最適にすることで乾燥を防ぐ、という意味で[湿度]という項目となり、[アレルギー型]に対しては、アレルギーの主な原因となるほこりやアレルゲンの除去を図る、という意味で[抗ほこり・アレルゲン]という項目となり、[物理刺激高感受型]に対しては、風などで物理刺激に敏感な肌を傷めない、という意味で[微風]という項目となり、これら６つの項目それぞれにレベル値があてはめられ、空気調整レシピデータを構成している。そして、６つの項目におけるレベル値は、状態データ図３（ｂ）のレベル値がそのまま反映される。
【００３５】
レシピ決定部２０７において、上記のような流れで空気調整レシピデータが生成されると、状態蓄積部２０９に蓄積された、屋外における使用者の状態データ図４（ｂ）、図５（ｂ）を参照し、一旦生成した空気調整レシピデータの評価を行う。
【００３６】
図７は、レシピ決定部２０７において、生成された空気調整レシピデータを、屋外のデータと比較して評価を行い、正式な空気調整レシピデータとして決定するまでの流れを示したフローチャートである。
【００３７】
図７において、レシピ決定部２０７は、空気調整レシピデータ図６を生成すると（Ｓ１）、まず、状態蓄積部２０９に蓄積されている状態データ図４（ｂ）、図５（ｂ）を参照する（Ｓ２）。次に、参照した状態データ図４（ｂ）、図５（ｂ）の各評価項目におけるレベル値と、空気調整レシピデータ図６の各項目におけるレベル値を比較し、相違があるかどうかを判断する（Ｓ３）。ここで、相違がある場合は、その相違の大きさを調査し、相違が予め定められたレベル（例えば、悪化方向にレベル１とする）以上であるかどうかを判断する（Ｓ４）。相違がない場合は、空気調整レシピデータ図６を、そのまま正式なレシピとして決定する（Ｓ６）。そして、相違のレベルが悪化方向に１以上である場合、空気調整レシピデータ図６において、相違が悪化方向にレベル１以上の項目に対し、そのレベルに相当する度合いで修正をかけ（Ｓ５）、修正後の空気調整レシピデータを正式なレシピとして決定し（Ｓ６）、相違のレベルが１より少ない場合、もしくは、改善方向に１以上であった場合は、修正をかけずにそのまま正式な空気調整レシピデータとして決定する（Ｓ６）。空気調整レシピデータ図６の場合は、図４、図５と比較した結果、[乾性型]と[紫外線高感受型]、また[皮膚刺激高感受型]のレベル値が１以上悪化しているので、空気調整レシピデータ図６は、[乾性型]に対する[湿度]、[紫外線高感受型]に対する[抗酸化成分]、[皮膚刺激高感受型]に対する[マイナスイオン]のレベル値に変更がかかり、正式な空気調整レシピデータへ修正される。
【００３８】
図８は、修正後の、正式な空気調整レシピデータを示した図である。
【００３９】
図８に示すように、レシピ決定部２０７は、空気調整レシピデータ図６のレベル値から、[湿度]項目に対してレベルを２つ、[抗酸化成分]、[皮膚刺激高感受型]項目に対して、レベルを１つアップさせる。
【００４０】
ここで、レシピ決定部２０７において、状態蓄積部２０９で蓄積された状態データのうち、各６つの評価項目のレベル値が最も高かった項目をそれぞれ抽出し、それらの組み合わせで空気調整レシピデータを作成する方法も可能ではあるが、この方法を採用した場合、現状の使用者の状態データに関わらず、それまでに最も悪い状態であることを示すレベル値が、空気調整レシピデータの各項目のレベル値へと採用されることになり、現在の使用者の状態が、少し回復していた場合、使用者に対し、過剰なケアをしてしまう恐れがある。したがって、上記で述べたように、一旦現状の使用者の状態データから空気調整レシピデータを作成して、そこから、それまで悪い状態にあった評価項目の抽出をし、その評価項目に相当する空気調整レシピデータの項目に対して、予め定められたレベル値分修正をかけることで、最悪な状態と現在の状態との中間値をとったケアが実現でき、使用者にとって最適な空気調整レシピデータを生成することができる。
【００４１】
レシピ決定部２０７は、空気調整レシピデータの６項目それぞれに対して、実際にその内容を実現するためには、宅内にある空気調整装置の中で、どれが必要なのか、ということをあらかじめ把握しており、決定した空気調整レシピデータ図８に基づいて、使用する空気調整装置の選定を行う。
【００４２】
図９は、レシピ決定部２０７が空気調整装置の選定を行う際に参照する、複数の空気調整装置それぞれが保持する機能と空気調整レシピデータの６項目とを対応づけしたテーブルを示した図である。
【００４３】
レシピ決定部２０７は、空気調整レシピデータが決定されると、あらかじめ保持しているテーブル図９を参照し、空気調整レシピデータの各項目が、どの空気調整装置に関係しているのかを検索する。検索した後、空気調整レシピデータの各項目のレベル値が、テーブルに記述されているレベル値の範囲に当てはまることを確認し、当てはまるようであれば、その項目に対する機能を保持する空気調整装置が選定される。レベル値の範囲に当てはまらない場合は、当てはまる項目を検出するまで検索を続行する。
【００４４】
図１０は、レシピ決定部２０７が、空気調整レシピデータを決定してから空気調整装置の選定行い、空気調整レシピデータを空気調整装置へ出力するまでの流れを示すフローチャートである。
【００４５】
図１０において、レシピ決定部２０７は、まず、空気調整レシピデータ図８の６項目に対して、予め定められたレベル値以上であるかどうかを調査する（Ｓ７〜９）。ここでは、予め定められたレベル値をレベル２とする。各項目おいて、レベル値がレベル２以上であった場合は、その項目に該当する機能を持った空気調整装置を、図９を参照しながら抽出して決定する（Ｓ１０）。そして、空気調整レシピデータの項目のレベル値に相当する出力レベルに基づき、該当する空気調整装置への出力レベルを決定する（Ｓ１１）。ここで、空気調整レシピデータのレベル値がレベル２以上でなかった場合は、その項目に該当する機能を持つ空気調整装置は使用するに足らないと判断し、不要として、該当する空気調整装置へは空気調整レシピデータを出力しない（Ｓ１４）。採用となった空気調整装置への出力レベルが決定すると、まず、状態監視部２１０にアクセスし、該当する空気調整装置の現在の状態を確認した上で（Ｓ１２）、空気調整装置に対して空気調整レシピデータを出力する（Ｓ１３）。状態監視部２１０において、該当する空気調整装置が、決定した出力レベルと同じレベルですでに起動中であるとされていた場合は、その空気調整装置に対しては、空気調整レシピデータを出力しない（Ｓ１４）。空気調整レシピデータ図８によると、各項目のレベルが２以下なのは、[抗ほこり・アレルゲン]のみであるので、[抗ほこり・アレルゲン]に該当する機能を持つ空気調整装置１０５は、今回は採用とならず、空気調整装置１０５へは空気調整レシピデータは出力されない。一方、残りの５項目においては、レベルが２以上であるため、[酸素]、[抗酸化成分]に該当する機能を持つ空気調整装置１０３、[マイナスイオン]、[湿度]に該当する機能を持つ空気調整装置１０４、[微風]に該当する機能を持つ空気調整装置１０６に対しては、出力レベルが決定され、状態監視部２１０を参照した上で、現状が同出力レベルでなければ、それぞれの空気調整装置に対して、空気調整レシピデータが出力される（ここで、状態監視部２１０は、ある定められた間隔ごとに、複数ある空気調整装置それぞれに対し、現状状態のデータ取得を行い、都度更新しているものとする。）。
【００４６】
なお、上記の説明では、空気調整レシピデータの６項目に、温度という項目を設けてはいないが、レシピ決定部２０７は、温度に関しては、あらかじめ、使用者にとっての快適温度（たとえば、夏は２７℃前後、冬は２０℃前後、外気温度を参考にする）に設定する、という概念を保持しており、状態監視部２１０で常に快適温度であるかどうかを監視し、常に快適温度を目指すよう、別途空気調整レシピデータを生成し、他の空気調整レシピデータ同様、該当の空気調整装置へ出力している。従って、温度に関する空気調整レシピデータだけは、使用者が肌状態を測定する、しないにかかわらず、ある定められた間隔おきに生成し、該当する空気調整装置へ出力し、快適温度を保つようコントロールしている。
【００４７】
空気調整装置１０３において、コントロール装置１０２から、インタフェース部２１１を介して空気調整レシピデータを受信すると、制御部２１２は、出力部を制御し、空気調整レシピデータの内容を実現する。その他、複数存在する空気調整装置においても、空気調整装置１０３と同様の動作を行い、それぞれの役目を果たす。
【００４８】
かかる構成によれば、レシピ決定部２０７が、特定の場所における使用者の生理的な状態を採取し、それに適した空気調整を行うのではなく、それまでの使用者の状態を考慮した空気調整内容を生成するので、場所にとらわれることのない、使用者の生理的な状態を採取して空気調整に反映するシステムを提供することとなり、使用者自身の一日の生活における疲労回復や、長期的な目線での体調の改善を図る快適な空気の調整を行うことができる。
【００４９】
また、かかる構成によれば、レシピ決定部２０７が、宅内に存在する複数の空気調整装置から、空気調整レシピデータを実現させるために必要となる空気調整装置を選定することにより、たとえば、[物理刺激高感受型]−レベル５である使用者が、感覚的、または習慣的に、帰宅後に空気調整装置であるエアコンを起動したとして、レシピ決定部２０７においては、空気調整レシピデータを、[微風]−レベル５、という内容で決定するので、風による刺激を与える可能性のあるエアコンの運転を停止し、[微風]に該当する空気調整装置である、輻射暖房機に空気調整レシピデータを出力することになり、使用者自身が制御するよりも、はるかに肌の状態に最適で、きめ細かな制御を行うことができ、さらに、効率の良い運転も可能となる。
【００５０】
なお、本実施の形態において、肌状態検知装置１０１で測定する測定データ、空気環境データの内容を特定して記述したが、それ以外にも、使用者における生理的なデータとして採取可能なデータならば、そのデータを使用した症状の診断を行っても良い。また、症状診断部２０２で診断した結果である状態データについて、上記説明では、６つの評価項目に内容を特定して記述したが、採取した測定データ、空気環境データから診断される結果であれば、どのような形であってもかまわない。
【００５１】
なお、本実施の形態において、レシピ決定部２０７が状態データの評価項目に相当する６つの項目をあらかじめ保持していると記述したが、図９に示すような、複数の空気調整装置が保持する機能と空気調整レシピデータの項目を対応づけしたテーブルから、状態データの項目に深く関わりのある項目をそれぞれ抽出して決定しても良い。また、そのレベル値においても、上記説明では、状態データの評価項目のレベル値をそのまま反映させたが、なんらかのルールに則って決定しても良い。
【００５２】
なお、本実施の形態において、レシピ決定部２０７が、最適な運転を実現するために空気調整装置の選別を行うことから、省エネを考慮した、機器をムダに起動しない、空気調整レシピデータを生成するようにしても良い。
【００５３】
なお、本実施の形態において、使用者が帰宅後、肌状態検知装置１０１からコントロール装置１０２へデータの送信を行ったことを想定したが、インタフェース部２０６や２０８がインターネット網を経由して送受信を行っても良い。また、使用者が予め空気調整機器のタイマー予約をして出かけた場合でも、屋外にて肌状態検知装置１０１からコントロール装置１０２へデータを送信すれば、レシピ決定部２０７がタイマー時刻にあわせて空気調整レシピデータを生成し、使用者の帰宅時には、すでに使用者の状態に最適な空気調整がされているとしても良い。
【００５４】
（実施の形態２）
本発明の実施の形態２について、実施の形態１で使用した図面を用いて説明する。
【００５５】
図２において、レシピ決定部２０７は、肌状態検知装置１０１から出力された状態データについて、状態蓄積部２０９に蓄積されている状態データと比較し、その状態が使用者にとってのベストな状態かどうか判断し、一番良い状態データには、ベストコンディション情報を付加して蓄積しておく。また、レシピ決定部２０７は、空気調整レシピデータを出力するたびに、その日時や内容の履歴を取っておく。
【００５６】
レシピ決定部２０７は、実施の形態１と同様にして、空気調整レシピデータを状態データに基づいて決定した後、状態蓄積部２０９に蓄積しておいたベストコンディション情報が付加された状態データを参照する。そして、ベストコンディション情報の日付の直前に出力した空気調整レシピデータを、それまでに記録している空気調整レシピデータ履歴の中から検索し、抽出する。その後、一旦生成した空気調整レシピデータに対して、空気調整レシピデータ履歴の内容を反映させ、最終的な空気調整レシピデータを決定する。
【００５７】
レシピ決定部は、一般的に良好な肌がどのような条件なのか、（ここでは、評価項目に対するレベル値がどの程度なのか）という情報をあらかじめ保持しており、それに則って使用者の状態がベストかどうかを判断する。
【００５８】
使用者の現在までのベストな状態データが、２００３年１１月１５日（土）１０時２０分に診断したものであるとして、以下に本実施の形態について、具体的に説明する。
【００５９】
図１１（ａ）は、ベストな状態であると判断された使用者の状態データを示す図で、図１１（ｂ）は、ベスト状態の直前に出力していた空気調整レシピデータを示した図である。
【００６０】
レシピ決定部２０７は、実施の形態１と同様にして、複数の空気調整装置に対してそれぞれ空気調整レシピデータを決定すると、状態蓄積部２０９に蓄積されているベストな状態データ図１１（ａ）を参照する。そして、２００３年１１月１５日（土）１０時２０分の直前に出力した空気調整レシピデータ図１１（ｂ）を履歴の中から抽出する。ベストな状態データ図１１（ａ）のそれぞれの評価項目におけるレベル値と、一旦生成した空気調整レシピデータ図８のそれぞれの項目におけるレベル値を比較し、以前はどの項目において良好な状態であったのかを把握する。そして、以前出力した空気調整レシピデータ図１１（ｂ）と空気調整レシピデータ図８を比較し、それぞれの項目のうちでレベル値があらかじめ定められた値以上の項目に対してレベルを上げ、修正をかける。
【００６１】
図１２は、空気調整レシピデータ図８からベスト状態を考慮して修正をかけた後の空気調整レシピデータを示す図である。
【００６２】
空気調整レシピデータ図１１（ｂ）と空気調整レシピデータ図８を比較すると、[酸素]と[抗ほこり・アレルゲン]という項目に関して、ベストコンディションを導き出した頃は、現在よりいっそうケアしていたということから、それらの項目に対してレベル値を、例えば、レベル値の差分が、１以上２以下の場合は、１アップ、２より大きい場合は、その差分を２で割り、商の値分（商が整数でなければ、小数点以下を四捨五入して整数にした分）をアップさせる、というように、あらかじめ定められたルールに則って変更し、最終的に出力する空気調整レシピデータ図１２を決定する。これ以降、空気調整装置が空気調整レシピデータの内容どおりに運転するまでは、実施の形態１と同様に行うものとする。
【００６３】
かかる構成によれば、レシピ決定部２０７は、使用者のベストコンディション時の状態を記憶しておくので、使用者に対して現在の状態との変化を示すことが可能となり、使用者にとっては自己の状態を把握でき、有用な情報を得ることができる。
【００６４】
また、かかる構成によれば、レシピ決定部２０７は、使用者の現状の状態データから生成した空気調整レシピデータに対し、使用者のベストコンディション時の状態データや実際に出力した空気調整レシピデータを常に比較・反映するため、使用者のベストコンディション状態を復活させる空気の調整を図ることとなり、より個人に適応した空気の調整を行うことができると同時に、使用者がより早く体調回復することのできる空気の調整を行うことができる。さらに、出力した空気調整レシピデータの記録を参照することができるため、生成したレシピが使用者に合うレシピなのかどうかを分析することが可能となり、より使用者に適応した空気の調整を行うことができる。
【００６５】
なお、本実施の形態において、レシピ決定部２０７における、使用者のベストコンディション情報が付加された状態データと、現在の状態データの比較に関しては触れていないが、その変化の情報を使用者へ提供し、それに関するアドバイスを生成して表示しても良いし、ベストを記録してから現在までに、天候などの外部状況がどのように変化したか、や、使用者がどのような生活を行っていたか、などの情報と照合し、それらの情報から使用者の状態変化の予測を行って空気調整レシピデータに反映し、アドバイスとして使用者へ提供しても良い。尚、本発明はプログラムによって実現し、これを記録媒体に記録して移送することができる。
【産業上の利用可能性】
【００６６】
本発明にかかる空気調整システムは、使用者の生理的な状態のデータを測定して蓄積する装置を有し、その蓄積したデータと現在のデータとの変化を活用して機器の制御を行う、家電機器や設備機器等、電気機器のコントローラ等として有用である。また医療分野での治療装置等の用途にも応用できる。
【図面の簡単な説明】
【００６７】
【図１】本発明の実施の形態１における空気調整システムの、使用状況の一例を模式的に示した平面図
【図２】本発明の実施の形態１における空気調整システムの構成を詳しく示したブロック図
【図３】（ａ）肌状態測定部２０１で採取された測定データと、環境測定部２０５で採取された空気環境データを示す図（ｂ）症状診断部２０２で診断された状態データを示す図
【図４】（ａ）肌状態測定部２０１で採取された測定データと、環境測定部２０５で採取された空気環境データを示す図（ｂ）症状診断部２０２で診断された状態データを示す図
【図５】（ａ）肌状態測定部２０１で採取された測定データと、環境測定部２０５で採取された空気環境データを示す図（ｂ）症状診断部２０２で診断された状態データを示す図
【図６】レシピ決定部２０７が生成する空気調整レシピデータを示す図
【図７】レシピ決定部２０７において、生成された空気調整レシピデータを、正式な空気調整レシピデータとして決定するまでの流れを示したフローチャート
【図８】修正後の、正式な空気調整レシピデータを示す図
【図９】空気調整レシピデータの各項目と各空気調整装置の機能を対応づけしたテーブルを示した図
【図１０】レシピ決定部２０７が、空気調整レシピデータを決定してから空気調整装置の選定行い、空気調整レシピデータを空気調整装置へ出力するまでの流れを示したフローチャート
【図１１】（ａ）ベストな状態であると判断された使用者の状態データを示す図（ｂ）ベスト状態の直前に出力していた空気調整レシピデータを示す図
【図１２】ベスト状態を考慮して修正をかけた後の空気調整レシピデータを示す図
【図１３】従来の空気調整システムの構成を示すブロック図
【符号の説明】
【００６８】
１０１    肌状態検知装置
１０２    コントロール装置
１０３    空気調整装置
１０４    空気調整装置
１０５    空気調整装置
１０６    空気調整装置
２０１    肌状態測定部
２０２    症状診断部
２０３    制御部
２０４    状態蓄積部
２０５    環境測定部
２０６    インタフェース部
２０７    レシピ決定部
２０８    インタフェース部
２０９    状態蓄積部
２１０    状態監視部
２１１    インタフェース部
２１２    制御部
２１３    出力部
２１４    インタフェース部
２１５    制御部
２１６    出力部
１００１    マウス
１００２    皮膚温測定部
１００３    発汗量測定部
１００４    温湿度測定部
１００５    コンピュータ
１００６    処理部
１００７    インタフェース部
１００８    管理コンピュータ
１００９    インタフェース部
１０１０    演算部
１０１１    空気調整部
【図１】
2005273981.tif 000003
【図２】
2005273981.tif 000004
【図３】
2005273981.tif 000005
【図４】
2005273981.tif 000006
【図５】
2005273981.tif 000007
【図６】
2005273981.tif 000008
【図７】
2005273981.tif 000009
【図８】
2005273981.tif 000010
【図９】
2005273981.tif 000011
【図１０】
2005273981.tif 000012
【図１１】
2005273981.tif 000013
【図１２】
2005273981.tif 000014
【図１３】
2005273981.tif 000015